(57)【要約】      （修正有）【課題】幼児の口の中に入る箸部分だけが脱・付着できるようにする。【解決手段】一双の上部には雌・雄になっている第１関節１０と第２関節１１により、向かい合ってつながり関節が折れてから伸びる範囲を、箸の運動範囲として確保し、一双の箸下部には親指と食指または中指を固定させるそれぞれのリングを整え、そのリングに親指と食指または中指を入れて使用する。また、一双の箸下部は脱・付着できるように中が空いているステンレス製とした。【選択図】図２
2009291607.tif 000002
【特許請求の範囲】
【請求項１】
一双のお箸の上部には人体の関節模様を模した第１関節（１０）と第２関節（１１）により向かい合ってつながっている脱・付着ができる幼児用のお箸において、
第１関節（１０）の下部には第１脱・付着部（２０）を取付け、第１脱・付着部（２０）の一面に親指を固定させられ、所定形状のリングになっている親指用の固定リング（４０）と第１脱・付着部（２０）の一面、親指用の固定リング（４０）下部に歪み防止台（８０−３）と；
上記の反対側である第２関節（１１）の下部には第２脱・付着部（３０）を取付け、第２脱・付着部（３０）の一面に食指を固定させられる所定形状のリングになっている食指用の固定リング（５０）及び；
食指用の固定リング（５０）と近く、食指用の固定リング（５０）の下部に中指を固定させられる所定形状のリングになっている中指用の固定リング（６０）と；
第１脱・付着部（２０）と第２脱・付着部（３０）の下部には食べ物を取れるようになっており、またお箸の脱・付着ができるように脱・付着のお箸部（７０）を取付けることを特徴とする脱・付着ができる幼児用のお箸。
【請求項２】
一双のお箸の上部には人体の関節模様を模した第１関節（１０）と第２関節（１１）により向かい合ってつながっている脱・付着ができる幼児用のお箸において、
第１関節（１０）の下部一面に親指を固定させられ、所定形状のリングになっている親指用の固定リング（４０）と第１関節（１０）の下部、親指用の固定リング（４０）の下部に歪み防止台（８０−３）と；
上記の反対側である第２関節（１１）の下部には食指を固定させられる所定形状のリングになっている食指用の固定リング（５０）及び；
食指用の固定リング（５０）と近く、食指用の固定リング（５０）の下部に中指を固定させられる所定形状のリングになっている中指用の固定リング（６０）と；
第１関節と第２関節の下部端には食べ物がとれるようになっており、若干の面積がある四角模様の食べ物の接続部があることを特徴とする脱・付着ができる幼児用のお箸。
【請求項３】
請求項１項または２項において、
上記の第１関節（１０）と第２関節（１１）の下部それぞれ向かい合って内側に一定角度に歪んでおり、お箸を使う時にお箸が歩く形状を特徴とする脱・付着ができる幼児用のお箸。
【請求項４】
請求項１項または２項において、
上記の第１関節（１０）と第２関節（１１）は人体の関節模様を模した関節は丸柱（１０−１）と、その丸柱（１０−１）を包んで丸柱枠（１１−１）となっており、それぞれを組み合わせて動くことを特徴とする脱・付着ができる幼児用のお箸。
【請求項５】
請求項１項において、
脱・付着のお箸部（７０）は中が空いているテンレスとなっていることを特徴とする脱・付着ができる幼児用のお箸。
【請求項６】
請求項１項において、
脱・付着のお箸部（７０）はプラスチックとなっていることを特徴とする脱・付着ができる幼児用のお箸。
【請求項７】
請求項１項または２項において、
お箸の歪みを防ぐための“Ｖ”字または“Ｕ”字模様の歪み防止台（８０−３）があることを特徴とする脱・付着ができる幼児用のお箸。
【請求項８】
請求項１項または２項において、
丸柱枠のなか（１１−１）には所定形状のボールが動き音がすることを特徴とする脱・付着ができる幼児用のお箸。
【発明の詳細な説明】
【技術分野】
【０００１】。
本発明は幼児用のお箸の一部が消毒や取替えのため、脱・付着が出来、また取替えできる部分を中が空いているステンレスにて軽くし幼児用のお箸を作る必要性を考え、本発明の装置を提案することになった。
【背景技術】
【０００２】従来に幼児用のお箸は実用化されているが、その材質がプラスチックになっており、衛生の為お湯などにゆでられなく消毒もできなかったし、プラスチックになっているお箸は色が付くと取れなくて再度使うのには非衛生だった。また、従来の幼児用お箸のなか一部は鉄になっているものもあったが、それもプラスチックになっているヒンジ部と鉄になっている箸部が一体になっているのでお湯に入れ難く実用化されなかった。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】本発明は上記の従来の技術を解決するために案出されたもので、本発明の目的は幼児の口の中に入るお箸部分だけ脱・付着ができるようにしたものである。
【課題を解決するための手段】
【０００６】これに従い、上記の目的を達成するため脱・付着ができる幼児用のお箸（９０）として、一双の上部には雌・雄になっている人体の関節模様を模した第１関節（１０）と第２関節（１１）により、向かい合ってつながり関節が折れてから伸びる範囲を、一般お箸の運動範囲として確保し、一般お箸の運動範囲と同じくし、第１関節（１０）と第２関節（１１）により連結している一双のお箸下部には親指と食指または中指を固定させるそれぞれのリングを整え、そのリングに親指と食指または中指を入れてから動き、一般お箸との使い方と同じく使用するものである。【０００７】    実際に食べ物をとるお箸部分をプラスチックに製作し使い続けると、プラスチックのお箸の部分が幼児の乳歯により傷ができ、傷の溝に細菌が繁殖し、人体に直接に接触できるところで非衛生的で幼児の健康にも悪い影響を及ばす。（プラスチックのせいで消毒が不可能である）【０００８】それに従い、食べ物を直接にとるお箸の部分の消毒と取替え方式である脱・付着できることにしてその問題を解決した。
【発明の効果】
【０００９】本発明の脱・付着できる幼児用のお箸は一組になっている人体の関節の模様をしており、既存の実用化されている組み立て過程が必要とされる“ヒンジ・タイプ”に比べ人体の関節の模様をしているところを組み合わせることでお箸の製作および組立が容易になり、製作単価を企画的に減らすことができ、よく使えるお箸の一部を脱・付着し消毒ができるようにし、消費者の便宜を増やす事に伴い取替えできるお箸の再度お使いができるようになり経済的なところまで減らすことができ、効果を極大化できるようにした。
【図面の簡単な説明】
【００１０】
【図１】は本発明による脱・付着ができる幼児用のお箸の概念図。
【図２】は本発明による脱・付着ができる幼児用のお箸の全体構成図。
【図３】は本発明による脱・付着ができる幼児用のお箸の第１関節と第２関節の構成図及び内側に日程角度が歪んでいる人が歩く形状のお箸の概念図。
【図４】は本発明による脱・付着ができる幼児用のお箸の第１脱・付着部と第２脱・付着部の構成図。
【図５】は本発明による脱・付着ができる幼児用のお箸の脱・付着お箸部及びエンボの構成図。
【発明を実施するための形態】
【００１１】上記の本発明の目的及び構造上のことは、添付されている図面を参照し以下で記述されており、本発明の詳細で正しい実施例の説明によりもっと明確になる。
【００１２】本発明による脱・付着ができる幼児用のお箸は、親指と食指または中指をそれぞれの固定リングに入れ食べ物がとれるようにし、またお箸の一部分を脱・付着ができるようにした幼児用のお箸である。
【００１３】本発明による脱・付着ができる幼児用のお箸の概念を説明する為の外観全体構成を図１に示した。
【００１４】図１に示したように、本発明による脱・付着ができる幼児用のお箸（９０）は、全体的に一双のお箸の上部に雌・雄となっている人体の関節模様をしている関節により向かい合ってつながっており、親指・食指・中指をそれぞれの固定リングに入れるようにし、お箸の一部が脱・付着ができるようになっている。従って、幼児の口に入るお箸の一部を消毒及び取替えができるようにしたものである。
【００１５】  図２に示したように、本発明による脱・付着ができる幼児用のお箸（９０）の全体構成図は一双のお箸上部に雌・雄となっている人体の関節模様を模した第１関節（１０）と第２関節（１１）により向かい合ってつながっており、第１関節（１０）と第２関節（１１）の下部に一定角度の内側に歪っでお箸にとって、第１関節（１０）下部には第１脱・付着部（２０）を取付け、第１脱・付着部（２０）の一面に親指を固定させる所定形状のリングになっている親指用の固定リング（４０）と第１脱・付着部（２０）の一面、親指用の固定リング（４０）下部に歪み防止台（８０−３）と上記の反対側の第２関節（１１）下部には第２脱・付着部（３０）を取付け、第２脱・付着部（３０）の一面に食指を固定させる所定形状のリングになっている食指用の固定リング（５０）や食指用の固定リング（５０）と引接しており、食指用の固定リング（５０）下部に中指を固定させられる所定形状のリングになっている中指用の固定リング（６０）と第１脱・付着部（２０）と第２脱・付着部（３０）の下部には食べ物がとれるし、お箸の取替えができるように脱・付着のお箸部（７０）となっている。
【００１６】上記による図２に示したように、本発明による脱・付着ができる幼児用お箸の第１関節（１０）と第２関節（１１）下部は一定角度の内側に反っており、このお箸の説明は次による。
【００１７】もっと詳しくは、集中度が低い幼児は食事時間にご飯を食べることだけに集中することは難しい。従って本発明の発明者は幼児の食事時間にご飯を食べることだけに集中されるようお箸を使う毎（お箸の左右運動）に、お箸が歩く形状を保つようにしたのである。
既存の実用化されている一双のお箸の模様は上部から下部に一直線になっていたのが通常であった。
しかしながら、本発明の発明者は一双のお箸上部には雌・雄となっている人体の関節模様を模した第１関節（１０）と第２関節（１１）により向かい合ってつながっており、第１関節（１０）と第２関節（１１）の下部にはそれぞれ向かって内側に一定角度が歪っでおり、お箸を使う時キャラクターの形状にデザインしたお箸の全体的な外形が歩く形状に見えるようにした。
【００１８】  その原理は第一、食べ物をとる為にはお箸が左右に繰り返さなければならないし、第２番目にお箸を使う時、外形的にお箸が歩く形にする為にはお箸が前後に繰り返さなければならない為、この二つの条件を満たすためには第１関節（１０）と第２関節（１１）の下部それぞれは向かい合って内側に一定角度に歪っでいなければいけない。
【００１９】  上記の通り図３に示したように、本発明による脱・付着できる幼児用のお箸の第１関節（１０）と第２関節（１１）の説明は次の通りである。
第１関節（１０）と第２関節（１１）は、雌・雄となっている関節模様を模した丸柱（１０−１）になっており、丸柱の内部には穴が空けており、その穴の内部に“芯”が取付けており、丸柱を包んで丸柱枠（１１−１）になっており、“芯（８０−４）”を中心になって結び合わせて動くものである。
第１関節（１０）と第２関節（２０）の丸柱（１０−１）下部の中心には第１脱・付着部（２０）と第２脱・付着部（３０）を取付け、一般的なお箸を使う時につぼめたりのばしたりする繰返し運動（左右）を第１関節（１０）と第２関節（１１）の丸柱（１０−１）と丸柱内部の“芯（８０−４）”と丸柱枠（１１−１）が結び合わせて一般的なお箸の同じ役目をしているのである。
【００２０】  本発明に通り上記のような丸柱止め突起（１１−２）は第１関節（１０）と第２関節（２０）にそれぞれの丸柱（１０−１）の長さ方向に三角型の模様の丸柱止め突起（１１−２）がある。
丸柱（１０−１）を包んでいる丸柱枠（１１−１）の中に結び合わせている時、食べ物をとる為お箸の左右運動の時、丸柱止め突起（１１−２）のお箸が食べ物をとる時、丸柱枠（１１−１）の中にある丸柱（１０−１）の運動範囲を外される事を防いでくれる重要な役目をするものである。
本発明に通り上記による歪み防止台（８０−３）は食べ物をとる時、一双のお箸が両手の力によりお箸が捩れて食べ物を落ちることを防ぐ役目をするもので、その模様は“Ｖ”字模様と“Ｕ”字模様をしている。
【００２１】上記の通り図４に示したように、本発明による脱・付着できる幼児用のお箸の第１脱・付着部（２０）と第２脱・付着部（３０）の説明は次の通りである。
一双のお箸が第１関節（１０）と第２関節（１１）により向かい合ってつながっており第１脱・付着部（２０）と第２脱・付着部（３０）は第１関節（１０）と第２関節（１１）の下部に取り付け、第１脱・付着部（２０）と第２脱・付着部（３０）の一面に親指を固定させられる形状の親指用の固定リング（４０）がある。
親指用の固定リング（４０）はお箸を使う時に一番力がかかる所であるため、その材質はＡＢＳ樹脂やＰＣにて製作できるようにし、しかも材質はＡＢＳ樹脂やＰＣに限定されないのである。
また第２脱・付着部（３０）の一面には食指を固定できる所定形状の食指用の固定リング（５０）があり、食指用の固定リング（５０）と近くのその下部に中指を固定できる所定形状の中指用の固定リング（６０）が取付けられる。食指用の固定リング（５０）と中指用の固定リング（６０）の材質はシリコンやゴムのように軟質の性質がある材質を使用する。
【００２２】  本発明のよる、上記の通り第１脱・付着部（２０）と第２脱・付着部（３０）それぞれの下部には脱・付着のお箸部（７０）が取替えできるように“┐”字模様の穴になっている突起“道”（８０−２）が取付けられている。
もっと詳しくは第１脱・付着部（２０）は第１関節（１０）の下部に取付けられ、第２脱・付着部（３０）は第２関節（１１）の下部に取付けられ、第１脱・付着部（２０）と第２脱・付着部（３０）の下部一面には“┐”字模様の穴になっている突起“道”（８０−２）があり、中が空いているステンレスになっている脱・付着お箸部（７０）の上部中の表面には所定形状の丸い突起（８０−１）があり、第１脱・付着部（２０）と第２脱・付着部（３０）の下部に空いている“┐”字模様の突起“道”（８０−２）に従って中が空いているステンレスになっている脱・付着のお箸部（７０）をはめ込んで組み合わせるものである。しかしながら、脱・付着の模様は決まっているのではない。当業者が多様な技術的な手段によって多様に適用できるものだ。
【００２３】  図５に示したように、本発明による脱・付着ができる幼児用のお箸（９０）の脱・付着お箸部（７０）及びエンボ（８０）の構成図の説明は次に通りである。
食べ物をとる脱・付着お箸部（７０）の材質は中が空いているステンレスを使った方が一番理想で、上記のステンレス以外に錆らない材質を使う事もできる。
また、エンボ（８０）の構成は次の通りである。脱・付着部（７０）の下部は四角模様をしており、上から下方向にラインが付いてあり幼児が食べ物をとった時に滑れない為のラインエンボ（８０）の処理をするものである。
【実施例】
【産業上の利用可能性】
【符号の説明】
【００２４】＜図面符号の説明＞
１０      第１関節            １１      第２関節
１０−１  丸柱                １１−１  丸柱枠
１１−２  丸柱止め突起        ２０      第１脱・付着部
３０      第２脱・付着部      ４０      親指用の固定リング
５０      食指用の固定リング  ６０      中指用の固定リング
７０      脱・付着のお箸部    ８０      エンボ
８０−１  突起                ８０−２  突起“道”
８０−３  歪み防止台          ８０−４  “芯”
９０      脱・付着ができる幼児用のお箸
【図１】
2009291607.tif 000003
【図２】
2009291607.tif 000004
【図３】
2009291607.tif 000005
【図４】
2009291607.tif 000006
【図５】
2009291607.tif 000007